【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
可変表示を実行可能な遊技機であって、
有利状態に制御可能な有利状態制御手段と、
第１態様と第２態様とを含む複数種類の態様に変化可能な演出用可動体と、
可変表示に関する情報を保留記憶として記憶可能な保留記憶手段と、
前記保留記憶に対応して、複数種類の表示態様で保留表示を表示可能な保留表示手段と、を備え、
前記保留表示手段は、
前記有利状態に制御されることを示唆する特定態様で前記保留表示を表示可能であり、
前記特定態様とは異なる表示態様であって、前記演出用可動体の態様が変化することを示唆する特殊態様で前記保留表示を表示可能であり、
前記特殊態様として、第１特殊態様と該第１特殊態様とは異なる第２特殊態様とを含み、
前記演出用可動体は、
前記第１特殊態様で前記保留表示が表示される場合に、前記第１態様または前記第２態様に変化可能であり、
前記第２特殊態様で前記保留表示が表示される場合に、前記第１態様または前記第２態様に変化可能であり、
前記第１特殊態様で前記保留表示が表示される場合よりも、前記第２特殊態様で前記保留表示が表示される場合の方が、前記第２態様に変化しやすく、
前記第１態様に変化する場合と前記第２態様に変化する場合とで異なる期間で変化可能である
ことを特徴とする遊技機。
【請求項２】
可変表示を実行可能な遊技機であって、
有利状態に制御可能な有利状態制御手段と、
第１態様と第２態様とを含む複数種類の態様に変化可能な演出用可動体と、
可変表示に対応する特定表示を複数種類の表示態様で表示可能な特定表示手段と、を備え、
前記特定表示手段は、
前記有利状態に制御されることを示唆する特定態様で前記特定表示を表示可能であり、
前記特定態様とは異なる表示態様であって、前記演出用可動体の態様が変化することを示唆する特殊態様で前記特定表示を表示可能であり、
前記特殊態様として、第１特殊態様と該第１特殊態様とは異なる第２特殊態様とを含み、
前記演出用可動体は、
前記第１特殊態様で前記特定表示が表示される場合に、前記第１態様または前記第２態様に変化可能であり、
前記第２特殊態様で前記特定表示が表示される場合に、前記第１態様または前記第２態様に変化可能であり、
前記第１特殊態様で前記特定表示が表示される場合よりも、前記第２特殊態様で前記特定表示が表示される場合の方が、前記第２態様に変化しやすく、
前記第１態様に変化する場合と前記第２態様に変化する場合とで異なる期間で変化可能である
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、
可変表示を実行可能な遊技機であって、
有利状態に制御可能な有利状態制御手段と、
第１態様と第２態様とを含む複数種類の態様に変化可能な演出用可動体と、
可変表示に関する情報を保留記憶として記憶可能な保留記憶手段と、
前記保留記憶に対応して、複数種類の表示態様で保留表示を表示可能な保留表示手段と、を備え、
前記保留表示手段は、
前記有利状態に制御されることを示唆する特定態様で前記保留表示を表示可能であり、
前記特定態様とは異なる表示態様であって、前記演出用可動体の態様が変化することを示唆する特殊態様で前記保留表示を表示可能であり、
前記特殊態様として、第１特殊態様と該第１特殊態様とは異なる第２特殊態様とを含み、
前記演出用可動体は、
前記第１特殊態様で前記保留表示が表示される場合に、前記第１態様または前記第２態様に変化可能であり、
前記第２特殊態様で前記保留表示が表示される場合に、前記第１態様または前記第２態様に変化可能であり、
前記第１特殊態様で前記保留表示が表示される場合よりも、前記第２特殊態様で前記保留表示が表示される場合の方が、前記第２態様に変化しやすく、
前記第１態様に変化する場合と前記第２態様に変化する場合とで異なる期間で変化可能である。
（１）上記目的を達成するため、他の態様に係る遊技機は、
可変表示を実行可能な遊技機（例えばパチンコ遊技機１）であって、
第１態様（例えば図８−３（Ｄ））と第２態様（例えば図８−４（Ｅ））とを含む複数種類の態様に変化可能な演出用可動体（例えば演出用可動体４ＡＫ００１Ｌ、４ＡＫ００１Ｒ）と、
可変表示に関する情報を保留記憶として記憶可能な保留記憶手段（例えばＲＡＭ１０２）と、
前記保留記憶に対応して、第１表示態様（例えば雪だるま）と第２表示態様（例えば太陽）とを含む複数種類の表示態様で保留表示を表示可能な保留表示手段（例えば画像表示装置５に保留表示を表示する演出制御用ＣＰＵ１２０）と、を備え、
前記演出用可動体は、
前記第１表示態様で前記保留表示が表示される場合、前記第１態様または前記第２態様に変化可能であり、
前記第２表示態様で前記保留表示が表示される場合、前記第１態様または前記第２態様に変化可能であり、
前記第１表示態様で前記保留表示が表示される場合よりも、前記第２表示態様で前記保留表示が表示される場合の方が、前記第２態様に変化しやすい（例えば図８−６（Ｄ））。
このような構成によれば、遊技の興趣を向上させることができる。
【手続補正３】
【補正対象書類名】明細書
【補正対象項目名】０００７
【補正方法】変更
【補正の内容】
【０００７】
（Ｂ）本願発明に係る他の遊技機は、
可変表示を実行可能な遊技機であって、
有利状態に制御可能な有利状態制御手段と、
第１態様と第２態様とを含む複数種類の態様に変化可能な演出用可動体と、
可変表示に対応する特定表示を複数種類の表示態様で表示可能な特定表示手段と、を備え、
前記特定表示手段は、
前記有利状態に制御されることを示唆する特定態様で前記特定表示を表示可能であり、
前記特定態様とは異なる表示態様であって、前記演出用可動体の態様が変化することを示唆する特殊態様で前記特定表示を表示可能であり、
前記特殊態様として、第１特殊態様と該第１特殊態様とは異なる第２特殊態様とを含み、
前記演出用可動体は、
前記第１特殊態様で前記特定表示が表示される場合に、前記第１態様または前記第２態様に変化可能であり、
前記第２特殊態様で前記特定表示が表示される場合に、前記第１態様または前記第２態様に変化可能であり、
前記第１特殊態様で前記特定表示が表示される場合よりも、前記第２特殊態様で前記特定表示が表示される場合の方が、前記第２態様に変化しやすく、
前記第１態様に変化する場合と前記第２態様に変化する場合とで異なる期間で変化可能である。
（２）さらに、他の遊技機は、
可変表示を実行可能な遊技機（例えばパチンコ遊技機１）であって、
第１態様（例えば図８−３（Ｄ））と第２態様（例えば図８−４（Ｅ））とを含む複数種類の態様に変化可能な演出用可動体（例えば演出用可動体４ＡＫ００１Ｌ、４ＡＫ００１Ｒ）と、
可変表示に対応する特定表示を表示可能な特定表示手段（例えば画像表示装置５にアクティブ表示を表示する演出制御用ＣＰＵ１２０）と、を備え、
前記特定表示手段は、第１表示態様（例えば雪だるま）と第２表示態様（例えば太陽）とを含む複数種類の表示態様で前記特定表示を表示可能であり、
前記演出用可動体は、
前記第１表示態様で前記特定表示が表示される場合、前記第１態様または前記第２態様に変化可能であり、
前記第２表示態様で前記特定表示が表示される場合、前記第１態様または前記第２態様に変化可能であり、
前記第１表示態様で前記特定表示が表示される場合よりも、前記第２表示態様で前記特定表示が表示される場合の方が、前記第２態様に変化しやすい（例えば図８−６（Ｄ））。
このような構成によれば、遊技の興趣を向上させることができる。